【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
インクジェットプリンタを動作させる方法であって、
印刷画像のための画像データを参照して、前記プリンタのインクジェットから排出されるインク滴のパターンを特定することと、
印刷されるインク滴の前記パターンに対応する前記画像データの少なくとも一部を参照してインク滴の前記パターンに沿って第１のインク滴を排出するように前記インクジェットを動作させる、初期値であるところの非ゼロの第１の波形コンポーネントを有する第１の電気信号に対する、第１の波形コンポーネント調整値を特定することと、および、
前記特定される第１の波形コンポーネント調整値を参照して、前記第１の電気信号に対する、初期値であるところの非ゼロの前記第１の波形コンポーネントを、前記第１の電気信号に対する、別の非ゼロの第１の波形コンポーネントに変更し、前記インクジェットを動作させてインク滴の前記パターンにおいて前記第１のインク滴を第１の速度で画像受信表面の第１の位置上へ排出するに当たり、前記第１の速度は、初期値であるところの非ゼロの前記第１の波形コンポーネントに対応する非ゼロの速度とは異なる非ゼロの速度となるように、前記第１の電気信号を生成することと、
を含む、インクジェットプリンタを動作させる方法。
【請求項２】
前記第１の波形コンポーネント調整値は、前記電気信号のピーク電圧レベルにおける変化である、請求項１に記載の方法。
【請求項３】
前記第１の波形コンポーネント調整値は、前記第１の電気信号のピーク電圧レベルの持続時間の変化である、請求項１に記載の方法。
【請求項４】
印刷されるインク滴の前記パターンに対応する前記画像データの少なくとも一部を参照してインク滴の前記パターンに沿って第２のインク滴を排出するように前記インクジェットを動作させる、初期値であるところの非ゼロの第２の波形コンポーネントを有する第２の電気信号に対する、第２の波形コンポーネント調整値を特定することと、および、
前記特定される第２の波形コンポーネント調整値を参照して、前記第２の電気信号に対する、初期値であるところの非ゼロの前記第２の波形コンポーネントを、前記第２の電気信号に対する、別の非ゼロの第２の波形コンポーネントに変更し、前記インクジェットを動作させてインク滴の前記パターンにおいて前記第２のインク滴を前記第１の速度で画像受信表面の第２の位置上へ排出するに当たり、前記第１の速度は、前記第２の電気信号に対する、初期値であるところの非ゼロの前記第２の波形コンポーネントに対応する非ゼロの速度とは異なる非ゼロの速度となるように、前記第２の電気信号を生成することと、
を含む、請求項１に記載の方法。
【請求項５】
前記画像データを参照した前記インクジェットからの前記第１のインク滴の排出前に、前記インクジェットから排出されるインク滴の前記パターンの第１の部分を特定すること、および、
メモリに保存されるルックアップテーブルの前記パターンの前記特定される第１の部分を参照して、前記第１の波形コンポーネント調整値を特定すること、をさらに含む、請求項１に記載の方法。
【請求項６】
前記画像データを参照した前記インクジェットからの前記第１のインク滴の排出後に、前記インクジェットから排出されるインク滴の前記パターンの第２の部分を特定すること、および、
前記メモリに保存される前記ルックアップテーブルの前記パターンの前記特定される第１の部分と前記特定される第２の部分とを参照して、前記第１の波形コンポーネント調整値を特定すること、
をさらに含む、請求項５に記載の方法。
【請求項７】
前記画像データを参照した前記インクジェットからの前記第１のインク滴の排出後に、前記インクジェットから排出されるインク滴の前記パターンの第１の部分を特定すること、および、
メモリに保存されるルックアップテーブルの前記パターンの前記特定される第１の部分を参照して、前記第１の波形コンポーネント調整値を特定すること、
をさらに含む、請求項１に記載の方法。
【請求項８】
印刷されるインク滴の前記パターンに対応する前記画像データの少なくとも一部を参照してインク滴の前記パターンに沿って第２のインク滴を排出するように前記インクジェットを動作させる、初期値であるところの非ゼロの第１の波形コンポーネントを有する第２の電気信号に対する、第２の波形コンポーネント調整値を特定することと、および、
前記特定される第２の波形コンポーネント調整値を参照して、前記第２の電気信号に対する、初期値であるところの非ゼロの前記第２の波形コンポーネントを、前記第２の電気信号に対する、別の非ゼロの第２の波形コンポーネントに変更し、前記インクジェットを動作させてインク滴の前記パターンにおいて前記第２のインク滴を非ゼロの第２の速度で画像受信表面の第２の位置上へ排出するに当たり、非ゼロの前記第２の速度は、非ゼロの前記第１の速度とは異なるように、前記第２の電気信号を生成することと、
を含む、請求項１に記載の方法。
【請求項９】
前記第２の波形コンポーネント調整値を参照して、前記第２の電気信号を生成し、前記第２のインク滴を非ゼロの前記第１の速度より大きい非ゼロの前記第２の速度で排出して、前記画像受信表面の前記第１の位置における前記第１のインク滴および前記画像受信表面の前記第２の位置における前記第２のインク滴の間の距離を減少させること、をさらに含む、請求項８に記載の方法。
【請求項１０】
前記第２の波形コンポーネント調整値を参照して、前記第２の電気信号を生成し、前記第２のインク滴を非ゼロの前記第１の速度より小さい非ゼロの前記第２の速度で排出して、前記画像受信表面の前記第１の位置における前記第１のインク滴および前記画像受信表面の前記第２の位置における前記第２のインク滴の間の距離を増加させること、をさらに含む、請求項８に記載の方法。
【請求項１１】
インクジェットプリンタであって、
電気信号を受信することに応答して、インクの滴を排出するよう構成されるインクジェットと、
印刷ゾーンにおいて前記インクジェットが通過するよう構成される画像受信表面と、
少なくとも部分的に、前記画像受信表面の前記インクジェットにより形成される印刷画像に対応する画像データを保存するよう構成されるメモリと、
前記インクジェットと前記メモリとに動作可能に接続されるコントローラであって、前記コントローラは、
印刷されるインク滴の前記パターンに対応する前記画像データの少なくとも一部を参照して印刷されるインク滴のパターンに沿って第１のインク滴を排出するように前記インクジェットを動作させる、初期値であるところの非ゼロの第１の波形コンポーネントを有する第１の電気信号に対する、第１の波形コンポーネント調整値を特定し、および、
前記特定される第１の波形コンポーネント調整値を参照して、前記第１の電気信号に対する、初期値であるところの非ゼロの前記第１の波形コンポーネントを、別の非ゼロの第１の波形コンポーネントに変更し、前記インクジェットを動作させてインク滴の前記パターンにおいて前記第１のインク滴を第１の速度で画像受信表面の第１の位置上へ排出するに当たり、前記第１の速度は、初期値であるところの非ゼロの前記第１の波形コンポーネントに対応する非ゼロの速度とは異なる非ゼロの速度となるように、前記第１の電気信号を生成する、
よう構成されるコントローラと、
を備える、インクジェットプリンタ。
【請求項１２】
前記コントローラは、
前記第１の波形コンポーネントを、前記第１の電気信号に対応する前記メモリに保存されるピーク電圧レベルとして特定する、
ようさらに構成される、請求項１１に記載のインクジェットプリンタ。
【請求項１３】
前記コントローラは、
前記第１の波形コンポーネントを、前記第１の電気信号に対応する前記メモリに保存されるピーク電圧レベル持続時間として特定する、
ようさらに構成される、請求項１１に記載のインクジェットプリンタ。
【請求項１４】
前記コントローラは、
印刷されるインク滴の前記パターンに対応する前記画像データの少なくとも一部を参照してインク滴の前記パターンに沿って第２のインク滴を排出するように前記インクジェットを動作させる、初期値であるところの非ゼロの第２の波形コンポーネントを有する第２の電気信号に対する、第２の波形コンポーネント調整値を特定し、および、
前記特定される第２の波形コンポーネント調整値を参照して、前記第２の電気信号に対する、初期値であるところの非ゼロの前記第２の波形コンポーネントを、前記第２の電気信号に対する、別の非ゼロの第２の波形コンポーネントに変更し、前記インクジェットを動作させてインク滴の前記パターンにおいて前記第２のインク滴を前記第１の速度で画像受信表面の第２の位置上へ排出するに当たり、前記第１の速度は、初期値であるところの非ゼロの前記第２の波形コンポーネントに対応する非ゼロの速度とは異なる非ゼロの速度となるように、前記第２の電気信号を生成する、
ようさらに構成される、請求項１１に記載のインクジェットプリンタ。
【請求項１５】
前記メモリは、
前記第１の波形コンポーネントに対応するデータに関連して、前記インクジェットからの前記第１のインク滴の排出前に、前記インクジェットから排出されるインク滴の前記パターンの第１の部分を含むルックアップテーブルを保存する、
ようさらに構成され、
前記コントローラは、
前記画像データを参照して、前記インクジェットからの前記第１のインク滴の排出前に、前記インクジェットから排出されるインク滴の前記パターンの前記第１の部分を特定し、および、
前記パターンの前記特定される第１の部分および前記メモリに保存される前記ルックアップテーブルを参照して、前記第１の波形コンポーネント調整値を特定する、
ようさらに構成される、請求項１１に記載のインクジェットプリンタ。
【請求項１６】
前記メモリは、
前記第１の波形コンポーネントに対応するデータに関連して、前記インクジェットからの前記第１のインク滴の排出後に、前記インクジェットから排出されるインク滴の前記パターンの第２の部分を含む前記ルックアップテーブルを保存し、
前記画像データを参照して、前記インクジェットからの前記第１のインク滴の排出後に、前記インクジェットから排出されるインク滴の前記パターンの前記第２の部分を特定し、および、
前記パターンの前記特定される第１の部分、前記パターンの前記特定される第２の部分、および前記メモリに保存される前記ルックアップテーブルを参照して、前記第１の波形コンポーネント調整値を特定する、
ようさらに構成される、請求項１５に記載されるインクジェットプリンタ。
【請求項１７】
前記メモリは、
前記第１の波形コンポーネント調整値に関連して、前記インクジェットからの前記第１のインク滴の排出後に、前記インクジェットから排出されるインク滴の前記パターンの一部を含むルックアップテーブルを保存する、
ようさらに構成され、
前記コントローラは、
前記画像データを参照して、前記インクジェットからの前記第１のインク滴の排出後に、前記インクジェットから排出されるインク滴の前記パターンの前記一部を特定し、および、
前記パターンの前記特定される部分および前記メモリに保存される前記ルックアップテーブルを参照して、前記第１の波形コンポーネント調整値を特定する、
ようさらに構成される、請求項１１に記載のインクジェットプリンタ。
【請求項１８】
前記コントローラは、
印刷されるインク滴の前記パターンに対応する前記画像データの少なくとも一部を参照してインク滴の前記パターンに沿って第２のインク滴を排出するように前記インクジェットを動作させる、初期値であるところの非ゼロの第２の波形コンポーネントを有する第２の電気信号に対する、第２の波形コンポーネント調整値を特定し、および、
前記特定される第２の波形コンポーネント調整値を参照して、前記第２の電気信号に対する、初期値であるところの非ゼロの前記第２の波形コンポーネントを、前記第２の電気信号に対する、別の非ゼロの第２の波形コンポーネントに変更し、前記インクジェットを動作させてインク滴の前記パターンにおいて前記第２のインク滴を非ゼロの第２の速度で画像受信表面の第２の位置上へ排出するに当たり、非ゼロの前記第２の速度は、非ゼロの前記第２の速度とは異なるように、前記第２の電気信号を生成するよう、
さらに構成される、請求項１１に記載のインクジェットプリンタ。
【請求項１９】
前記コントローラは、
前記第２の波形コンポーネント調整値を参照して、前記第２の電気信号を生成し、前記第２のインク滴を非ゼロの前記第１の速度より大きい非ゼロの前記第２の速度で排出して、前記画像受信表面の前記第１の位置における前記第１のインク滴および前記画像受信表面の前記第２の位置における前記第２のインク滴の間の距離を減少させる、
ようさらに構成される、請求項１８に記載のインクジェットプリンタ。
【請求項２０】
前記コントローラは、
前記第２の波形コンポーネント調整値を参照して、前記第２の電気信号を生成し、前記第２のインク滴を非ゼロの前記第１の速度より小さい非ゼロの前記第２の速度で排出して、前記画像受信表面の前記第１の位置における前記第１のインク滴および前記画像受信表面の前記第２の位置における前記第２のインク滴の間の距離を増加させる、
ようさらに構成される、請求項１８に記載のインクジェットプリンタ。